(57)【特許請求の範囲】
【請求項１】
主板の幅方向両側に嵌合部が形成され，前記主板には太陽電池モジュールが装着された太陽電池モジュール付き建築用板と、長方形状の嵌合枠体の幅方向両側に被嵌合部が形成され，下面側に接合テープ部が装着された取付ベースとからなり、前記建築用板の嵌合部は前記取付ベースの被嵌合部に嵌合されてなることを特徴とする太陽電池モジュール付建築用板の取付装置。
【請求項２】
請求項１において、前記取付ベースの嵌合枠体は、２本の縦桟と横桟とからなり、前記縦桟の間には補強桟が配置されてなることを特徴とする太陽電池モジュール付建築用板の取付装置。
【請求項３】
請求項１又は２において、長方形状の架台本体と、内螺子部が形成されたブラケットに螺子軸が螺合され且つ該螺子軸の軸端に押圧板が装着された挟持部材とからなり、且つ前記架台本体の長手方向且つ幅方向の両側箇所に前記挟持部材が装着されると共に、前記押圧板は前記架台本体の長手方向に沿って対向配置されてなる固定架台が具備され、該固定架台に前記取付ベースが載置されてなることを特徴とする太陽電池モジュール付建築用板の取付装置。
【請求項４】
請求項３において、前記架台本体は長手方向に沿って伸縮自在としてなることを特徴とする太陽電池モジュール付建築用板の取付装置。
【請求項５】
主板の幅方向両側に嵌合部が形成され，前記主板には太陽電池モジュールが装着された太陽電池モジュール付き建築用板と、長方形状の嵌合枠体の幅方向両側に被嵌合部が形成され且つ内螺子部が形成されたブラケットに外螺子部を有する螺子軸が螺合され且つ該螺子軸の軸端に押圧板が装着された挟持部材が、前記嵌合枠体の長手方向且つ幅方向両側箇所に装着されると共に前記押圧板は前記嵌合枠体の長手方向に沿って相互に対向配置された取付ベースとからなり、前記建築用板の嵌合部は前記取付ベースの被嵌合部に嵌合されてなることを特徴とする太陽電池モジュール付建築用板の取付装置。
【請求項６】
主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、建築構造物とからなり、該建築構造物表面に前記取付ベースの接合テープ部を介して接合し、前記取付ベースの被嵌合部に前記建築用板の嵌合部を嵌合してなることを特徴とする太陽電池モジュール付建築用板の取付方法。
【請求項７】
主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、建築構造物とからなり、前記取付ベースの被嵌合部に前記建築用板の嵌合部を嵌合し、前記建築構造物表面に前記取付ベースの接合テープ部を介して接合してなることを特徴とする太陽電池モジュール付建築用板の取付方法。
【請求項８】
主板の幅方向両側に嵌合部が形成され，前記主板には太陽電池モジュールが装着された太陽電池モジュール付き建築用板と、長方形状の嵌合枠体の幅方向両側に被嵌合部が形成され且つ内螺子部が形成されたブラケットに外螺子部を有する螺子軸が螺合され且つ該螺子軸の軸端に押圧板が装着された挟持部材が、前記嵌合枠体の長手方向且つ幅方向両側箇所に装着されると共に前記押圧板は前記嵌合枠体の長手方向に沿って相互に対向配置された取付ベースとからなり、前記挟持部材の押圧板にて前記建築構造物の対向する両側壁面を挟持固着し、前記取付ベースを載置してなることを特徴とする太陽電池モジュール付建築用板の取付方法。
【請求項９】
主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、長方形状の架台本体と，内螺子部が形成されたブラケットに外螺子部を有する螺子軸が螺合され且つ該螺子軸の軸端に押圧板が装着された挟持部材とからなり前記架台部の長手方向且つ幅方向の両側箇所に前記挟持部材が装着され且つ前記押圧板は前記架台部の長手方向に沿って相互に対向配置されてなる固定架台と、建築構造物とからなり、前記固定架台の挟持部材の押圧板にて前記建築構造物の対向する両側壁面を挟持固着し、前記固定架台上に前記取付ベースを載置してなることを特徴とする太陽電池モジュール付建築用板の取付方法。
【発明の詳細な説明】
【技術分野】
【０００１】
本発明は、構築物、建築物、工作物等の建築構造物の外壁や屋根にアモルファス等の太陽電池モジュールが装着された建築用材を簡易且つ迅速に取り付けることができる太陽電池モジュール付建築用板の取付装置及びその取付方法に関する。
【背景技術】
【０００２】
近年、環境間題及び省エネルギー等に対する関心が増大し、太陽光発電の需要が高まり、太陽電池が備わった建築用板が、屋根又は壁として設置される以外にも、種々な建築構造物に使用されるようになってきている。このような太陽電池付き建築用板はバッテリー電源と組み合わせての用途も多くなり、セキュリティーや非常用電源として活用されはじめている。
【特許文献１】特開平７−２６６８３号公報
【特許文献２】特開２０００−１６０７７５
【発明の開示】
【発明が解決しようとする課題】
【０００３】
構築物、建築物または工作物等の建築構造物の屋根又は外壁にアモルファス等の太陽電池モジュールを取り付ける場合、屋根下地，外壁下地や外壁自体から取付用の下地金具等を介してアモルファス等の太陽電池モジュールが取付られていた。特許文献１にはソーラパネルを装着するための金具（脚片）が金属屋根に溶接手段により固着されている。また特許文献２では、ソーラパネルを屋根に装着するための取付板が屋根に木ネジによって固着されていることが記載されている。
【０００４】
すなわち、特許文献１では溶接手段が使用されており、金属屋根の溶接施工箇所が溶けて孔が開くことがある。同様に特許文献２においても木ネジが使用されるので、貫通孔が開いてしまう。しかしながら、既存の建築物では外壁，屋根等に貫通孔を開けるのは、雨水の浸入、ほこり、ごみ等の侵入等の種々の理由から好ましくないことがある。
【０００５】
特に、建築構造物が公共の街灯用電源，トイレの照明用電源，内部照明用電源及び空調用電源である場合に、このような建築構造物は屋外に設置することになるので、機密性が必要で、開口部等が存在しないようにしているものである。そして、上記特許文献１及び２に開示された手段によって取付用の下地金具等を取り付ける事は、屋根，外壁に孔が開いてしまうため、適用することができないものである。
【０００６】
このようなことから、既存建築物または工作物の屋根にアモルファス等の太陽電池モジュールを設置したいが、屋根面に直接荷重をかけられない等の条件がある場合、既存建物の周囲で基礎からやぐらを組み架台を設けアモルファス等の太陽電池モジュールを設置する等の方法がとられていた。しかしこの場合にも、非常に大掛かりな装置となってしまい、コストの面などから好ましくないものであった。そこで、本発明の目的（技術的課題）は、建築構造物に太陽電池モジュール付き建築用板（太陽電池付き建築用材）を簡易且つ迅速に装着することにある。
【課題を解決するための手段】
【０００７】
そこで発明者は、前記課題を解決すべく、鋭意，研究を重ねた結果、請求項１の発明を、主板の幅方向両側に嵌合部が形成され，前記主板には太陽電池モジュールが装着された太陽電池モジュール付き建築用板と、長方形状の嵌合枠体の幅方向両側に被嵌合部が形成され，下面側に接合テープ部が装着された取付ベースとからなり、前記建築用板の嵌合部は前記取付ベースの被嵌合部に嵌合されてなる太陽電池モジュール付建築用板の取付装置としたことにより、上記課題を解決した。
【０００８】
請求項２の発明を、前述の構成において、前記取付ベースの嵌合枠体は、２本の縦桟と横桟とからなり、前記縦桟の間には補強桟が配置されてなる太陽電池モジュール付建築用板の取付装置としたことにより、上記課題を解決した。請求項３の発明を、前述の構成において、長方形状の架台本体と、内螺子部が形成されたブラケットに螺子軸が螺合され且つ該螺子軸の軸端に押圧板が装着された挟持部材とからなり、且つ前記架台本体の長手方向且つ幅方向の両側箇所に前記挟持部材が装着されると共に、前記押圧板は前記架台本体の長手方向に沿って対向配置されてなる固定架台が具備され、該固定架台に前記取付ベースが載置されてなる太陽電池モジュール付建築用板の取付装置としたことにより、上記課題を解決した。
【０００９】
請求項４の発明を、前述の構成において、前記架台本体は長手方向に沿って伸縮自在としてなる太陽電池モジュール付建築用板の取付装置としたことにより、上記課題を解決した。請求項５の発明を主板の幅方向両側に嵌合部が形成され，前記主板には太陽電池モジュールが装着された太陽電池モジュール付き建築用板と、長方形状の嵌合枠体の幅方向両側に被嵌合部が形成され且つ内螺子部が形成されたブラケットに外螺子部を有する螺子軸が螺合され且つ該螺子軸の軸端に押圧板が装着された挟持部材が、前記嵌合枠体の長手方向且つ幅方向両側箇所に装着されると共に前記押圧板は前記嵌合枠体の長手方向に沿って相互に対向配置された取付ベースとからなり、前記建築用板の嵌合部は前記取付ベースの被嵌合部に嵌合されてなる太陽電池モジュール付建築用板の取付装置としたことにより、上記課題を解決した。
【００１０】
請求項６の発明を、主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、建築構造物とからなり、該建築構造物表面に前記取付ベースの接合テープ部を介して接合し、前記取付ベースの被嵌合部に前記建築用板の嵌合部を嵌合してなる太陽電池モジュール付建築用板の取付方法としたことにより、上記課題を解決した。
【００１１】
請求項７の発明を、主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、建築構造物とからなり、前記取付ベースの被嵌合部に前記建築用板の嵌合部を嵌合し、前記建築構造物表面に前記取付ベースの接合テープ部を介して接合してなる太陽電池モジュール付建築用板の取付方法としたことにより、上記課題を解決した。
【００１２】
請求項８の発明を、主板の幅方向両側に嵌合部が形成され，前記主板には太陽電池モジュールが装着された太陽電池モジュール付き建築用板と、長方形状の嵌合枠体の幅方向両側に被嵌合部が形成され且つ内螺子部が形成されたブラケットに外螺子部を有する螺子軸が螺合され且つ該螺子軸の軸端に押圧板が装着された挟持部材が、前記嵌合枠体の長手方向且つ幅方向両側箇所に装着されると共に前記押圧板は前記嵌合枠体の長手方向に沿って相互に対向配置された取付ベースとからなり、前記挟持部材の押圧板にて前記建築構造物の対向する両側壁面を挟持固着し、前記取付ベースを載置してなる太陽電池モジュール付建築用板の取付方法としたことにより、上記課題を解決した。
【００１３】
請求項９の発明を、主板の幅方向両側に嵌合部が形成され，前記主板には太陽電池モジュールが装着された太陽電池モジュール付き建築用板と、幅方向両側に被嵌合部が形成されると共に下面側には接合テープ部が装着された取付ベースと、長方形状の架台本体と，内螺子部が形成されたブラケットに外螺子部を有する螺子軸が螺合され且つ該螺子軸の軸端に押圧板が装着された挟持部材とからなり前記架台部の長手方向且つ幅方向の両側箇所に前記挟持部材が装着され且つ前記押圧板は前記架台部の長手方向に沿って相互に対向配置されてなる固定架台と、建築構造物とからなり、前記固定架台の挟持部材の押圧板にて前記建築構造物の対向する両側壁面を挟持固着し、前記固定架台上に前記取付ベースを載置してなる太陽電池モジュール付建築用板の取付方法としたことにより、上記課題を解決した。
【発明の効果】
【００１４】
請求項１の発明によれば、取付ベースには、接合テープ部が装着されているので、該接合テープ部を介して建築構造物の屋根，外壁のそれぞれの箇所に取付ベースを簡易且つ迅速に接合することができる。さらに、前記取付ベースには、幅方向両側に被嵌合部が形成され、前記太陽電池モジュール付き建築用板には、幅方向両側に嵌合部が形成されているので、前記嵌合部と被嵌合部とを嵌合させるのみで前記取付ベースに太陽電池モジュール付き建築用板を簡単に装着することができる。
【００１５】
このように、前記取付ベースには接合テープ部が装着されているので、建築構造物の屋根，外壁には一切、ビス，ネジ等の固着具の貫通孔が不要であり、開口部が新た形成されることがなく、雨水の浸入等を防止できる。また、施工において取付ベースが接合テープ部によって建築構造物に接合されるので特殊な工具等を全く必要としない。さらに、溶接手段も不要なので、建築構造物の屋根，外壁の一部が溶融することなく、溶融による孔が開くおそれも存在しない。次に、請求項２の発明によれば、前記取付ベースＢは、前記被嵌合部を有する２本の外枠部が備えられ、該外枠部と略直交状となるように中枠が適宜の間隔をおいて配置されたことにより、極めて軽量化することが容易にできる。
【００１６】
請求項３の発明によれば、固定架台が前記太陽電池モジュール付き建築用板と取付ベースと共に構成部材として加えられたものであり、該固定架台は、対向する押圧板同士が螺子軸によって、間隔を調整することができるので、建築構造物の対向する両外壁に挟持固定することができる。そして、建築構造物の屋根に他の設置物が配置されていたり、屋根構造が弱く、屋根に直接、構造物が設置不可能な場合に、前記固定架台は、挟持部の押圧板によって建築構造物の両外壁を挟持する構成によるものなので、建築構造物の屋根に重量的負担をかけず、また構造物同士の干渉を防ぐようにして太陽電池モジュール付き建築用板を良好に装着することができるものである。
【００１７】
請求項４の発明によって、前記架台部は長手方向に沿って伸縮自在としたことによって、建築構造物の大きさに応じて、固定架台の大きさを変更させることで、建築構造物に容易に設置することができる。請求項５の発明によって、取付ベースは、挟持部材が装着されたことにより、前記接合テープ部による固定が不可能な建築構造物の屋根等に対しては、その両外壁を挟持部材にて挟持固定することにより装着することができるものである。
【００１８】
請求項６の発明によって、取付ベースには、接合テープ部が装着され、該接合テープ部を介して建築構造物の屋根，外壁のそれぞれの箇所に取付ベースを簡易且つ迅速に接合することができる。しかも取付ベースを所定位置に正確に設置することが容易にできる。さらに、取付ベースを先に設置してから太陽電池モジュール付き建築用板を配置するので、電気配線等が行い易いという利点もある。
【００１９】
請求項７の発明によって、取付ベースに太陽電池モジュール付き建築用板を嵌合固定して、一体化したものを建築構造物の屋根箇所に装着するので、前記取付ベースを建築構造物の屋根に配置するのみで、取付ベースと共に太陽電池モジュール付き建築用板の設置を完了することができる。請求項８の発明によって、建築構造物の屋根に障害になるような構造物が存在しているときに、太陽電池モジュール付き建築用板の設置が容易にできるものである。
【００２０】
請求項９の発明によって、対向する押圧板の間隔を螺子軸によって、調整することができる固定架台を建築構造物の対向する両外壁に挟持固定し、建築構造物の屋根に設置し、前記固定架台に取付ベース及び太陽電池モジュール付き建築用板を設置するので、屋根構造が弱く、屋根に直接、構造物が設置不可能な場合においても簡易且つ迅速に建築構造物に太陽電池モジュール付き建築用板を設置することができる。
【発明を実施するための最良の形態】
【００２１】
以下本発明の実施形態を図面に基づいて説明する。本発明は、主に太陽電池モジュール付き建築用板Ａ，取付ベースＢ，固定架台Ｃ及び建築構造物９から構成される（図１，図２及び図７等参照）。前記太陽電池モジュール付き建築用板Ａは、略長方形状の主板１の幅方向両側に嵌合部２が形成され、前記主板１には太陽電池モジュール３が装着されている。太陽電池モジュール付き建築用板Ａは、前記太陽電池モジュール３を除いて金属製である。
【００２２】
前記主板１は、略平坦状に形成されたものである。前記嵌合部２は、図３（Ｂ）に示すように、嵌合側片２１と嵌合端片２２とからなり、前記主板１の幅方向の両外端から外方下向きに傾斜する嵌合側片２１が形成され、該嵌合側片２１の下端より内方側（主板１側）に向かって断面略円弧状に膨らむようにして形成された嵌合端片２２が形成されている。また、前記太陽電池モジュール付き建築用板Ａの裏面には、外壁や屋根への断熱効果を高めるために、断熱材を貼ることもある。また太陽電池モジュール付き建築用板Ａと建築構造物９の中空層にて熱伝導が減少することにより、建築構造物９の内部への省エネと断熱の効果がある。
【００２３】
前記太陽電池モジュール３は、図１（Ａ），図２に示すように、ソーラーパネルとして薄板形状に形成された受光部３１と電源接続部３２とからなり、前記受光部３１が前記主板１の表面側に装着されている。そして主板１の裏面側に前記太陽電池モジュール３の電源接続部３２が設けられている〔図３（Ａ）参照〕。前記太陽電池モジュール３は、アモルファス等の太陽電池モジュールである。
【００２４】
取付ベースＢは、図２及び図５に示すように、嵌合枠体４と接合テープ部５とから構成されている。前記嵌合枠体４は、図２，図４（Ａ）等に示すように、２本の縦桟４１，４１と、２本の横桟４２，４２とからなり、さらに、縦桟４１，４１の間には、複数の補強桟４３，４３，…が前記縦桟４１と直交配置されており、略梯子形状となっている。前記両縦桟４１，４１は、図４（Ｃ）及び（Ｅ）に示すように、断面略Ｌ字形状に形成され、被嵌合部４４，４４が一体形成されている。
【００２５】
被嵌合部４４は、図４（Ｃ）及び（Ｅ）に示すように、前記嵌合枠体４の外方に向かって水平片４４ａが形成され、該水平片４４ａの外端から傾斜片４４ｂが形成されている。嵌合枠体４を構成する縦桟４１，横桟４２及び補強桟４３の断面形状は、全て縦桟４１と同一である。その取付ベースＢの嵌合枠体４の裏面側には、接合テープ部５が装着されている。該接合テープ部５は、嵌合枠体４の縦桟４１及び横桟４２と裏面側に装着されている。また、必要に応じて前記補強桟４３，４３，…の裏面側に装着されてもよい。
【００２６】
接合テープ部５は、両面テープが使用されており、該接合テープ部５の粘着力は、構造力学的に強力なものが使用される。該接合テープ部５は、比較的厚さの厚い材質が使用されるが、接合テープ部５の芯材５２の両面に貼着面５1が形成されている〔図４（Ｃ），（Ｅ）参照〕。その芯材５２は、ゴム製のものが使用されることで、建築構造物９に設置したときに振動吸収の役目もなすことができる。
【００２７】
固定架台Ｃは、図７（Ｂ）に示すように、略長方形状の架台本体６の幅方向且つ長手方向両側に挟持部材７が装着されている。前記架台本体６は、縦材６１と横材６２及び補強材６３とから構成されている。前記縦材６１は、幅方向に適宜の間隔をおいて配置され、両縦材６１，６１の間には、前記補強材６３，６３，…が適宜の間隔をおいて配置されている。前記両縦材６１，６１は、図１０（Ａ），（Ｂ）に示すように、長手方向に伸縮自在で、且つ適宜の長さにて固定自在な構造とする実施形態が存在する。
【００２８】
具体的な構造としては、縦材６１が、断面長方形又は正方形で中空に形成され、長手方向の適宜の箇所に２分割され，２つの縦単位材６１ａ，６１ａとして構成される。そして、両縦単位材６１ａ，６１ａの中空内部に挿入可能且つ摺動自在な摺動板６１ｂが、両縦単位材６１ａ，６１ａに挿入される〔図１０（Ｂ）乃至（Ｄ）参照〕。さらに前記縦単位材６１ａ，６１ａには、前記摺動板６１ｂを固定するロックボルト６１ｃ，６１ｃ，…が装着されている。そして、図１０（Ｄ），（Ｅ）に示すように、前記縦単位材６１ａ，６１ａを近接，離間させて、架台本体６の長手方向の寸法を適宜に設定し、対向する挟持部材７の間隔を調整することができる。
【００２９】
前記挟持部材７は、図８，図９（Ａ），（Ｂ）に示すように、ブラケット７１，螺子軸７２，押圧板７３及びロックナット７４とから構成されたものである。また、該ロックナット７４と（後述の）軸受部７１ｂの間にスプリングワッシャーを入れる実施形態も存在する。前記ブラケット７１は、脚片７１ａと，内螺子７１ｃが形成された軸受部７１ｂとから構成される。前記脚片７１ａは薄板形状をなしており、前記架台本体６の長手方向且つ幅方向の両端から下向きに略垂下状に形成され、前記脚片７１ａの下端に軸受部７１ｂが形成されている。該軸受部７１ｂは、図９（Ｃ）に示すように、断面円形の管状に形成されたもので、内周側に内螺子７１ｃが形成されている〔図９（Ｃ）参照〕。
【００３０】
前記螺子軸７２は、外螺子７２ａが形成され、ブラケット７１の内螺子７１ｃと螺合し、前記軸受部７１ｂを螺子軸７２が軸方向に移動することができる〔図９（Ｂ）参照〕。前記螺子軸７２の軸端には、押圧板７３が装着されており、該押圧板７３は、螺子軸７２の軸周方向に回転自在となっている。前記押圧板７３は、平面的に見て略正方形状に形成され、建築構造物９の外壁に当接し易い形状となっている〔図８（Ｂ），図９（Ｃ）参照〕。
【００３１】
次に、本発明において、太陽電池モジュール付き建築用板Ａを取付ベースＢを介して建築構造物９に取り付ける方法について説明する。まず、方法の第１実施形態としては、図５に示すように、建築構造物９の表面（屋根９１等）に前記取付ベースＢの接合テープ部５を介して接合する〔図５（Ｂ）参照〕。次に、前記取付ベースＢの被嵌合部４４，４４に、前記太陽電池モジュール付き建築用板Ａの嵌合部２，２を嵌合する〔図５（Ｃ）参照〕。図５（Ｄ）は、太陽電池モジュール付き建築用板Ａの嵌合部２と、取付ベースＢの被嵌合部４４とが嵌合した状態を示す拡大断面図である。
【００３２】
すなわち、嵌合部２の嵌合側片２１と嵌合端片２２との屈曲部が、被嵌合部４４の傾斜片４４ｂの先端箇所に嵌合するものである。また、ビス等で固定する実施形態もある。この方法で施工すると、建築構造物９の屋根９１に、まず取付ベースＢのみを接合テープ部５を介して接合固定するので、正確な取付位置に設定し易い。また、太陽電池モジュール付き建築用板Ａは、取付ベースＢを屋根９１に取り付けてから、取付ベースＢ上に載置嵌合するので、太陽電池モジュール３の電源接続部３２の配線を比較的容易に行うことができる。
【００３３】
次に、方法の第２実施形態としては、図６に示すように、前記取付ベースＢの被嵌合部４４，４４に前記太陽電池モジュール付き建築用板Ａの嵌合部２，２を嵌合してから、前記建築構造物９の表面（屋根９１等）に前記取付ベースＢの接合テープ部５を介して太陽電池モジュール付き建築用板Ａを設置するものである。この第２実施形態の方法によって、取付ベースＢに太陽電池モジュール付き建築用板Ａを嵌合固定して一体化した状態で建築構造物９の屋根９１に配置するので、特に工場で予め太陽電池モジュール付き建築用板Ａと取付ベースＢとを嵌合して組み合わせておくことにより、建築現場にて迅速に太陽電池モジュール付き建築用板Ａを建築構造物９に取り付けることができる。
【００３４】
方法の第３実施形態としては、図１１に示すように、前記固定架台Ｃの挟持部材７の押圧板７３にて前記建築構造物９の対向する両外壁面９２，９２を挟持固着し、前記固定架台Ｃを建築構造物９に配置する。このとき、屋根９１上には予め複数個の緩衝材としての化成品のスペーサ８，８，…を設置しておく。また、シート状のゴム等の緩衝材を設置することもある〔図１１（Ａ）参照〕。そして、固定架台Ｃの架台本体６が前記スペーサ８上に配置され、架台本体６が撓んでも前記スペーサ８にて下方より支持される構成とするものである。各挟持部材７は、螺子軸７２を回転させ、対向する押圧板７３，７３の間隔を拡げておく。
【００３５】
対向する押圧板７３，７３によって、建築構造物９の対向する両外壁面９２，９２を挟持し、前記螺子軸７２を再度締め付けて押圧板７３，７３にて強固に挟持する〔図１１（Ｂ）参照〕。次に前記固定架台Ｃの架台本体６上に前記取付ベースＢを接合テープ部５を介して載置接合する〔図１１（Ｄ）参照〕。次に、前記取付ベースＢ上に太陽電池モジュール付き建築用板Ａを嵌合装着するものである。このとき、予め取付ベースＢに太陽電池モジュール付き建築用板Ａを嵌合装着してから、前記取付ベースＢを前記固定架台Ｃに載置固定してもよい。
【００３６】
図１２（Ａ）は、挟持部材７が取付ベースＢに直接装着された実施形態である。具体的には、前記嵌合枠体４の長手方向且つ幅方向両側に挟持部材７，７，…が装着され、前記取付ベースＢ上に太陽電池モジュール付き建築用板Ａが装着されている〔図１２（Ｂ）参照〕。この実施形態では、嵌合枠体４の裏面に接合テープ部５が装着されていない。そして、この実施形態の取付ベースＢを使用して、太陽電池モジュール付き建築用板Ａを建築構造物９に装着する方法の実施形態では、前記固定架台Ｃを使用した場合における挟持部材７の設置と略同様である。図１２（Ｃ）は、上記実施形態における取り付けられた取付ベースＢが挟持部材７，７，…を介して建築構造物９に装着された状態を示す略示図である。
【００３７】
すなわち、対向する押圧板７３，７３によって、建築構造物９の対向する両外壁面９２，９２を挟持し、前記螺子軸７２を締め付けて押圧板７３，７３にて強固に挟持する〔図１１（Ｂ）参照〕。次に取付ベースＢ上に太陽電池モジュール付き建築用板Ａを嵌合装着するものである。このとき、予め取付ベースＢに太陽電池モジュール付き建築用板Ａを嵌合装着してから、前記取付ベースＢを建築構造物９に載置固定してもよい。本発明は、電源ボックス，街灯用電源，トイレの照明用電源，内部照明用電源及び空調用電源を保護する建築構造物９に使用される。図１３（Ａ）は、取付ベースＢの長手方向を垂直にして建築構造物９の外壁面９２に装着し、この取付ベースＢに太陽電池モジュール付き建築用板Ａを装着した状態の斜視図である。また、図１３（Ｂ）は、取付ベースＢの長手方向を水平にして建築構造物９の外壁面９２に装着し、この取付ベースＢに太陽電池モジュール付き建築用板Ａを装着した状態の斜視図である。
【図面の簡単な説明】
【００３８】
【図１】（Ａ）は本発明を建築構造物の屋根に装着した斜視図、（Ｂ）は本発明を建築構造物の屋根に装着した縦断正面図である。
【図２】本発明と建築構造物との分離した状態の斜視図である。
【図３】（Ａ）は太陽電池モジュール付き建築用板の正面図、（Ｂ）は(Ａ)のア部拡大図である。
【図４】（Ａ）は取付ベースの平面図、（Ｂ）は取付ベースの縦断側面図、（Ｃ）は取付ベースの拡大縦断正面図、（Ｄ）は取付ベースの裏面図、（Ｅ）は被嵌合部箇所及びその近傍の拡大断面図である。
【図５】（Ａ）乃至（Ｃ）は第１実施形態の取付方法を示す工程図、（Ｄ）は嵌合状態を示す拡大図である。
【図６】（Ａ）乃至（Ｃ）は第２実施形態の取付方法を示す工程図である。
【図７】（Ａ）は固定架台を介して取付ベース及び太陽電池モジュール付き建築用板を建築構造物に装着した状態の略示図、（Ｂ）は固定架台の斜視図、（Ｃ）は固定架台に取付ベースを配置固定した斜視図である。
【図８】（Ａ）は固定架台を建築構造物に装着した状態の略示図、（Ｂ）は挟持部材の斜視図である。
【図９】（Ａ）は挟持部材の側面図、（Ｂ）は挟持部材の縦断側面図、（Ｃ）は（Ｂ）のＸａ−Ｘａ矢視断面図である。
【図１０】（Ａ）は伸縮機構を具備した固定架台の斜視図、（Ｂ）は（Ａ）のイ部拡大図、（Ｃ）は（Ｂ）のＸｂ−Ｘｂ矢視断面図、（Ｄ）は（Ｂ）のＸｃ−Ｘｃ矢視断面図、（Ｅ）は固定架台を建築構造物に装着した略示図である。
【図１１】（Ａ）乃至（Ｄ）は第３実施形態の取付方法を示す工程図である。
【図１２】（Ａ）は挟持部材を装着した取付ベースの斜視図、（Ｂ）は取付ベースに太陽電池モジュール付き建築用板を装着した斜視図、（Ｃ）は太陽電池モジュール付き建築用板を取付ベースを介して建築構造物に装着した略示図である。
【図１３】（Ａ）は取付ベースと太陽電池モジュール付き建築用板の長手方向を垂直にして建築構造物の外壁に装着した斜視図、（Ｂ）は取付ベースと太陽電池モジュール付き建築用板の長手方向を水平にして建築構造物の外壁に装着した斜視図である。
【符号の説明】
【００３９】
Ａ…太陽電池モジュール付き建築用板、２…嵌合部、３…太陽電池モジュール、
Ｂ…取付ベース、４…嵌合枠体、４１…縦桟、４２…横桟、４３…補強桟、
４４…被嵌合部、５…接合テープ部、Ｃ…固定架台、６…架台本体、７…挟持部材、
７１…ブラケット、７２…螺子軸、７３…押圧板、９…建築構造物。
【図１】
0005119043.tif 000002
【図２】
0005119043.tif 000003
【図３】
0005119043.tif 000004
【図４】
0005119043.tif 000005
【図５】
0005119043.tif 000006
【図６】
0005119043.tif 000007
【図７】
0005119043.tif 000008
【図８】
0005119043.tif 000009
【図９】
0005119043.tif 000010
【図１０】
0005119043.tif 000011
【図１１】
0005119043.tif 000012
【図１２】
0005119043.tif 000013
【図１３】
0005119043.tif 000014